【事件の表示】
　特許第３３６２９５５号「光源内蔵型撮像装置」の請求項１に係る特許に対する特許異議の申立てについて、次のとおり決定する。
【結　論】
　訂正を認める。
　特許第３３６２９５５号の請求項１に係る特許を取り消す。
【理　由】
１．手続の経緯
　特許第３３６２９５５号の発明についての出願は、平成６年４月１１日に特許出願され、平成１４年１０月２５日にその発明について特許権の設定登録がなされ、その後、異議申立人ペンタックス株式会社より特許異議の申立てがなされ、取り消しの理由が通知され、その指定期間内である平成１６年２月３日に訂正請求がなされた。
２．訂正の適否
（１）訂正の内容
　特許明細書を訂正請求書に添付した訂正明細書のとおりに訂正するもので、以下の訂正事項ａ，ｂよりなる。
　訂正事項ａ
　請求項１の
「被写体へ照射する照明光を発生する光源手段と、前記照明光によって照明された被写体を撮像する撮像手段と、前記撮像手段の出力を処理する信号処理手段とを有する光源内蔵型撮像装置において、
　前記光源手段の照明光量を調整する光量調整手段と、
　前記撮像手段の電気的感度または前記信号処理手段の電気的感度の一方を可変する手段と、
　前記電気的感度を可変する手段による電気的感度の調節と、前記光量調整手段による照明光量の調節とを関連させて設定する設定手段とを設けたことを特徴とする光源内蔵型撮像装置。」を
「被写体へ照射する照明光を発生する光源手段と、前記照明光によって照明された被写体を撮像する撮像手段と、前記撮像手段の出力を処理する信号処理手段とを有する光源内蔵型撮像装置において、
　前記光源手段の照明光量を前記光源手段に供給する電気信号値を制御することによって調整する光量調整手段と、
　前記信号処理手段の電気的感度を可変する手段と、
　前記電気的感度を可変する手段による電気的感度の調節と、前記光量調整手段の前記光源手段に供給する前記電気信号値による照明光量の調節とを関連させて設定するルックアップテーブルを備えた設定手段とを設けたことを特徴とする光源内蔵型撮像装置。」
と訂正する。
　訂正事項ｂ
　【００１３】【課題を解決するための手段および作用】の
「本発明では、被写体へ照射する照明光を発生する光源手段と、前記照明光によって照明された被写体を撮像する撮像手段と、前記撮像手段の出力を処理する信号処理手段とを有する光源内蔵型撮像装置において、前記光源手段の照明光量を調整する光量調整手段と、前記撮像手段の電気的感度または前記信号処理手段の電気的感度の一方を可変する手段と、前記電気的感度を可変する手段による電気的感度の調節と、前記光量調整手段による照明光量の調節とを関連させて設定する設定手段とを設けている。」を
「本発明では、被写体へ照射する照明光を発生する光源手段と、前記照明光によって照明された被写体を撮像する撮像手段と、前記撮像手段の出力を処理する信号処理手段とを有する光源内蔵型撮像装置において、前記光源手段の照明光量を前記光源手段に供給する電気信号値を制御することによって調整する光量調整手段と、前記信号処理手段の電気的感度を可変する手段と、前記電気的感度を可変する手段による電気的感度の調節と、前記光量調整手段の前記光源手段に供給する前記電気信号値による照明光量の調節とを関連させて設定するルックアップテーブルを備えた設定手段とを設けている。」
と訂正する。
（２）訂正の目的の適否、新規事項の有無、及び特許請求の範囲の拡張・変更の存否についての判断
　訂正事項ａは、訂正前の請求項１に記載された「前記光源手段の照明光量を調整する光量調整手段」、「前記撮像手段の電気的感度または前記信号処理手段の電気的感度の一方を可変する手段」及び「前記電気的感度を可変する手段による電気的感度の調節と、前記光量調整手段による照明光量の調節とを関連させて設定する設定手段」のそれぞれについて構成を限定するものであり、特許請求の範囲の減縮を目的とするものである。
　訂正事項ｂは、訂正事項ａにより訂正された請求項１との整合を図るため発明の詳細な説明の記載を訂正するものであり、明りょうでない記載の釈明を目的とするものである。
　訂正事項ａ，ｂによる訂正は、いずれも、願書に添付した明細書又は図面に記載した事項の範囲内においてするものであり、実質上特許請求の範囲を拡張し、又は変更するものではない。
　したがって、上記訂正は、特許法第１２０条の４第３項において準用する平成６年法律第１１６号による改正前の特許法第１２６条第１項ただし書、第２項の規定に適合するので、当該訂正を認める。
３．特許異議の申立ての概要
　申立人は、証拠として、甲第１，２号証を提出して請求項１に係る発明の特許は、特許法第２９条第２項の規定に違反してされたものであるから取り消されるべきである、と主張している。
４．特許異議の申立てについての判断
（１）本件発明
　訂正明細書の請求項１に係る発明（以下、「本件発明」という。）は、訂正明細書の特許請求の範囲の請求項１に記載されたとおりのものである（上記２．（１）訂正事項ａ参照）。
（２）引用刊行物に記載された発明
　取り消しの理由に引用した刊行物１（特開平２−１８１５９１号公報（申立人の提出した甲第１号証））には、カラー画像の色バランス補正方式に関する技術が記載されており、従来技術として、第２図を参照して次のような記載がある。
　（イ）第３頁、右上欄１１−１３行
「このプリプロセッサ１３からの出力信号は、ゲインコントロールアンプ１４により増幅されて、プロセッサ１５に入力されるようになっている。」
　（ロ）第３頁、左下欄１３−１８行
「このために、第３図に示したように、オートカラーコントローラ２０を備えたオートホワイトバランス機構が設けられて、Ｒ，Ｇ，Ｂの各ゲインコントロール信号をゲインコントロールアンプ１４に入力することによって、各色画像間の色バランスを取るようにしている。」
　また、第１の実施例として第５−８図を参照して次のような記載がある。
　(ハ)第５頁、左上欄８−１８行
「まず第５図に照明手段の構成を示す。同図に示したように、照明光は照明ランプ３０ａと、該照明ランプ３０ａからの照明光を平行光となすための凹面鏡３０ｂとで構成した光源部３０を有し、該光源部３０から照明される照明光は、コンデンサレンズ３１を介して集光されて、ライトガイド３２に入射されるようになっている。そしてコンデンサレンズ３１の光源部３０側の位置には光量絞り板３３が設けられ、またコンデンサレンズ３１とライトガイド３２との間には回転カラーフィルタ３４が介装されている。」
　（ニ）第５頁、右上欄末行−左下欄６行
「前述した照明手段による照明を行った状態で、ＣＣＤにより観察対象部のＲ，Ｇ，Ｂの各色画像の撮像を行って、所定の画像処理が行われるが、この撮像システム自体は前述した従来技術のものと格別差異はないので、同一または均等な構成要素については同一の符号を付して引用し、その図示及び詳細な説明は省略する。」
　（ホ）第５頁、右下欄１０行−第６頁、左上欄１１行
「然るに、前述したラッチ回路４３Ｒ，４３Ｂからの出力信号をそれぞれＤ／Ａ変換器４５Ｒ，４５Ｂでアナログ変換した後に、乗算型Ｄ／Ａコンバータ４６Ｒ，４６Ｂに入力され、この信号を基準信号として、それぞれＲフィールド，Ｂフィールドにおけるゲイン補正値を乗算することによって、光量絞り値に応じて補正されたＲフィールド，Ｂフィールドのゲインコントロール信号をゲインコントロールアンプに入力することができるようになされている。即ち、Ｇフィールドのゲイン値を基準として、この基準ゲイン値に対するＲフィールド及びＢフィールドのゲイン値の偏差を求める。そして、このＲフィールド及びＢフィールドの偏差に基づくゲイン補正値は、予め各メモリ４７Ｒ，４７Ｂに記録させておき、回転角度検出器３８によって絞り板３３の位置信号をバッファ回路４８を介して取り込んで、該絞り板３３の位置に応じたゲイン補正値をＩ／Ｏポート４９を介して乗算型Ｄ／Ａコンバータ４６Ｒ，４６Ｂに読み出すことができるようになっている。」
　（ヘ）第６頁、左下欄１１行−右下欄９行
「そこで、オートカラーコントローラ４４からは、Ｒ，Ｇ，Ｂの各イネイブル信号に基づいて通常のオートホワイトバランス、即ちフィルタ特性やＣＣＤ感度特性に応じて各色画像信号のバランスが取れるように、Ｇフィールドを基準としたＲフィールド及びＢフィールドの増幅ゲイン値の演算が行われて、その演算結果がそれぞれ乗算型Ｄ／Ａコンバータ４６Ｒ，４６Ｂに入力される。また、前述した絞り量信号がバッファ回路４８から取り込まれると、メモリ４７Ｒ，４７ＢからＲフィールド及びＢフィールドにおける絞り量に応じたゲイン補正値信号が乗算型Ｄ／Ａコンバータ４６Ｒ，４６Ｂに入力されて、絞り量に応じて補正された信号ゲイン値が演算され、このようにして補正されたＲ，Ｇ，Ｂの各フィールドのゲインコントロール信号がゲインコントロールアンプ１４（第２図参照）に出力されることになる。」
　これらの記載からみて、刊行物１には、照明ランプ３０ａと凹面鏡３０ｂを有する光源部（３０）、ＣＣＤ（１０）、光量絞り板（３３）、ゲインコントロールアンプ（１４）、光量絞り板（３３）の位置信号を取り込むための回転角度検出器（３８）、乗算型Ｄ／Ａコンバータ（４６Ｒ、４６Ｂ）や予めゲイン補正値を記録したメモリ（４７Ｒ、４７Ｂ）を有するオートホワイトバランス機構を設けた撮像装置の発明が記載されている、ということができる。
（３）比較判断
　本件発明と刊行物１に記載された発明（以下、「引用発明」という。）とを比較すると、引用発明の光源部（３０）、ＣＣＤ（１０）、ゲインコントロールアンプ（１４）、乗算型Ｄ／Ａコンバータ（４６Ｒ、４６Ｂ）は、それぞれ、本件発明の被写体へ照射する照明光を発生する光源手段、照明光によって照明された被写体を撮像する撮像手段、撮像手段の出力を処理する信号処理手段、信号処理手段の電気的感度を可変する手段に相当する。そして、引用発明の光量絞り板（３３）は、光源手段の照明光量を調整する光量調整手段ということができる。また、刊行物１の上記記載（ホ）（ヘ）からみて引用発明の回転角度検出器（３８）、メモリ（４７Ｒ、４７Ｂ）は、電気的感度を可変する手段による電気的感度の調節と、光量調整手段による照明光量の調節とを関連させて設定する設定手段ということができる。
　したがって、本件発明と引用発明は、
　被写体へ照射する照明光を発生する光源手段と、前記照明光によって照明された被写体を撮像する撮像手段と、前記撮像手段の出力を処理する信号処理手段とを有する撮像装置において、
　前記光源手段の照明光量を調整する光量調整手段と、
　前記信号処理手段の電気的感度を可変する手段と、
　前記電気的感度を可変する手段による電気的感度の調節と、前記光量調整手段による照明光量の調節とを関連させて設定する設定手段とを設けたことを特徴とする撮像装置
である点で一致し、次の２点で相違する。
相違点１
　撮像装置が、本件発明は、光源内蔵型のものであるのに対して、引用発明は光源内蔵型か否か明らかでない点。
相違点２
　本件発明は、光量調整手段が、光源手段の照明光量を光源手段に供給する電気信号値を制御することによって調整するものであり、設定手段が、電気的感度を可変する手段による電気的感度の調節と、光量調整手段の光源手段に供給する電気信号値による照明光量の調節とを関連させて設定するルックアップテーブルを備えたものであるのに対して、引用発明は、そのような構成のものではない点。
　相違点について検討する。
　相違点１について、
　光源を内蔵するか否かは、当業者が適宜選択しうる設計上の事項に過ぎず、引用発明において、光源内蔵型のものとすることは当業者にとって格別困難なこととはいえない。
　相違点２について、
　引用発明は、光量調整手段により照明光量を調整したときに生ずる色バランスのずれを補正するために、電気的感度を可変する手段による電気的感度の調節と、光量調整手段による照明光量の調節とを関連させて設定する設定手段とを設ける、という思想に基づくもので、光量調整手段は光量絞り板であるが、この思想が光量調整手段が光量絞り板以外のものであっても適用しうることは当業者に明らかである。
　光量調整手段として、光源手段の照明光量を光源手段に供給する電気信号値を制御することによって調整するものは周知であり、また、光量調整手段としてそのようなものを採用する場合、光源手段に供給する電気信号値によって照明光の色バランスが変化するためこれを補正する必要があることも周知である（この点は、本件特許明細書【０００８】の記載からも明らかであるが、必要であれば、特開平３−９８００８号公報（第５図、第４実施例）を参照されたい）。
　したがって、引用発明において、光量調整手段としてそのような周知のものを採用することは当業者が必要に応じて適宜なしえることであり、その場合、設定手段を、電気的感度を可変する手段による電気的感度の調節と、光量調整手段の光源手段に供給する電気信号値による照明光量の調節とを関連させて設定するルックアップテーブルを備えたものとすることは当業者にとって格別困難なこととはいえない。
　よって、本件発明は、引用発明及び周知技術に基づいて当業者が容易に発明をすることができたものである。
５．むすび
　以上のとおりであるから、本件発明は、特許法第２９条第２項の規定により特許を受けることができないものであり、本件発明についての特許は拒絶の査定をしなければならない特許出願に対してされたものと認める。
　よって、結論のとおり決定する。
【異議決定日】
平成１６年２月２３日（２００４．２．２３）
【訂正の要旨】
審決（決定）の【理由】欄参照。
（５４）【発明の名称】
光源内蔵型撮像装置
（５７）【特許請求の範囲】
　【請求項１】被写体へ照射する照明光を発生する光源手段と、前記照明光によって照明された被写体を撮像する撮像手段と、前記撮像手段の出力を処理する信号処理手段とを有する光源内蔵型撮像装置において、
前記光源手段の照明光量を
前記光源手段に供給する電気信号値を制御することによって
前記信号処理手段の電気的感度
前記電気的感度を可変する手段による電気的感度の調節と、前記光量調整手段
の前記光源手段に供給する前記電気信号値
ルックアップテーブルを備えた
【発明の詳細な説明】
　【０００１】
　【産業上の利用分野】
　本発明は、撮像信号を処理すると共に、光源の照明光量を調節する機能を有する光源内蔵型撮像装置に関する。
　【０００２】
　【従来の技術】
　撮像手段としてのＣＣＤの露光時間を制御することにより、積分型の撮像手段の電気的感度向上を図る先行例は、例えば特開平１−１９１５８２号公報に開示されている。このＴＶカメラ装置は、ＡＧＣ回路がなくとも低被写体照明での感度を良くすることを目的としている。
　【０００３】
　図９及び図１０には、積分機能を有するＴＶカメラ装置（以下ＣＣＵ）と光源装置を組み合わせた一体型装置を示している。この装置８１では、光源部の絞りコントロールつまみ８２と積分時間可変のつまみ８３が独立に設けられている。図１０は、図９に示す内視鏡用光源とＣＣＵとの一体型装置を含む内視鏡装置の全体的な構成図である。
　【０００４】
　図１０に示す内視鏡装置８０は、内視鏡８４と、この内視鏡８４と接続される前記一体型装置８１とを有している。この内視鏡８４の挿入部先端には、ＣＣＤ８５と前記一体型装置８１の光源ランプ８６からの照明光を伝達するライトガイド８７の出射端が配置されている。前記ＣＣＤ８５の出力信号は、前記一体型装置８１のプロセス回路８８を経て、エンコーダ８９により標準的なＴＶ信号となって出力される。前記積分つまみ８３により調整される露光時間制御回路９１は、前記ＣＣＤ８５の駆動信号を制御して、このＣＣＤ８５の露光時間を制御している。
　【０００５】
　また、前記光源ランプ８６と前記ライトガイド８７の入射端との間に配置された絞り９２は、絞りコントロール回路９３により制御されている。この絞りコントロール回路９３は、前記絞りコントロールつまみ８２により調整されるようになっている。
　【０００６】
　図９に示す絞りコントロールつまみ８２を回しても、積分つまみ８３を回しても、この装置において、出力としてのＴＶ信号の明るさが変化する。
　【０００７】
　図１０にも明らかなように、前記２つのつまみはその機能上関連性がなく独立に設けられている。
　【０００８】
　さて、光源装置の光量調整手段としては、特開昭６３−２７６０１８号公報で開示されているような絞りによって調整されている。ところが、この絞りによる光量調整では一般に光源のランプを常時フル発光して使用するため、効率が悪い。特にバッテリーで使用するような場合、常時ランプがフル発光しているので、バッテリー使用時での使用時間が短かくなる等の欠点があった。また、使用時間を増すためにバッテリーを大型化しなければならなかった。そこで、高効率で光量を調整する手段として、ランプ電流を直接制御して、ランプの光量を制御する調光方式が、自動車のヘッドライトの分野等で広く実用化されている。しかし、ランプ電流を制御する調光方式では、ランプ電流により明るさが変わるとともに、ランプ発光色の色温度も変化してしまう。自動車等では色温度の変化はあまり問題とならないが、内視鏡の光源装置では色再現性に忠実度が要求されるので大きな問題となる。
　【０００９】
　色温度の変化を補正する手段として、ＣＣＤカラーカメラの分野ではオートホワイトバランス方式が普及している。しかし、電子内視鏡分野の場合、被写体が特定の色、特に工業用の場合さび等で観察画面が一様な色に着色されている場合が多く、オートホワイトバランスでは色温度の補正が良好にはできなかった。そこで従来は、色信号のゲインを固定ゲイン式で色温度を補正するようにしていた。このように電子内視鏡装置の場合、オートホワイトバランスの採用が難しい。内視鏡観察装置に、ランプ電流制御による調光方式の光源装置と組み合わせて内視鏡観察した場合、観察中に光源の光量を変化させると、それに伴いランプ発生色の色温度が変わってしまい、色再現性が変化してしまう不具合がある。
　【００１０】
　【発明が解決しようとする課題】
　前述したＣＣＵと光源の一体型装置において、前記積分つまみ８３によって明るさを可変すると、露光時間が変わってしまい、動画時の観察時にコマ送り状態になる等デメリットが生じてしまう場合がある。
　【００１１】
　これを防ぐため、前記積分つまみ８３よりも、絞りつまみ８２を優先して動かす必要がある。しかし、ユーザーからすれば、積分つまみ８３を回しても、絞りつまみ８２を回しても明るさがコントロールできるので、積分つまみ８３を絞りつまみ８２よりも先に動かしてしまい、動画観察能力が落ちてしまうような使い方をしてしまう場合がよくあった。
　【００１２】
　本発明は前記事情にかんがみてなされたもので、撮像信号を処理すると共に、光源の照明光量を調節する機能を有する装置において、画像の明るさ調整する際、ユーザーの誤操作を防止するとともに操作性を向上させる得る光源内蔵型撮像装置を提供することを目的としている。
　【００１３】
　【課題を解決するための手段および作用】
　本発明では、被写体へ照射する照明光を発生する光源手段と、前記照明光によって照明された被写体を撮像する撮像手段と、前記撮像手段の出力を処理する信号処理手段とを有する光源内蔵型撮像装置において、前記光源手段の照明光量を
前記光源手段に供給する電気信号値を制御することによって
前記信号処理手段の電気的感度
の前記光源手段に供給する前記電気信号値
ルックアップテーブルを備えた
　【００１４】
　前記構成では、光量調整手段における光量調節と、電気的感度を可変する手段における電気的感度の可変動作が、設定手段により関連されて設定されるので、画像の明るさ調節にあっては、ユーザーが誤操作をすることがない。
　【００１５】
　【実施例】
　図を参照して本発明の実施例について、以下に説明する。図１及び図２は本発明の第１実施例に係り、図１は光源内蔵型撮像装置を構成する光源内蔵型信号処理装置の外観図、図２は光源内蔵型撮像装置の概略的な構成図である。
　【００１６】
　図１に示す光源内蔵型信号処理装置（以下、ＣＣＵと略記する）１は、撮像手段等を含む光源内蔵型撮像装置を構成している。このＣＣＵ１は、図２に示す例えば内視鏡２に設けられた撮像手段としてのＣＣＤ３と、信号線４ａ及びＣＣＵコネクタ５を介して電気的に接続されている。前記内視鏡２は、図２に示すように、前記ＣＣＵ１に内蔵された光源ランプ６からの照明光をライトガイド７を介して、その出射端から被写体に照射するようになっている。前記ライトガイド７の入射端は、前記ＣＣＵ１に設けられた図１に示すＬＧコネクタ９に接続されるようになっている。そして、前記ＣＣＵ１内において、前記ライトガイド７の入射端と、前記光源ランプ６との間には前記照明光量を調節するための光量調節手段を構成する絞り８が介装されている。
　【００１７】
　前記ＣＣＵ１は、前記ＣＣＤ３における電荷の蓄積時間を制御するため、ＣＣＤ３への駆動信号を制御するものであって、電気的感度を可変する手段を構成する露光時間制御回路１０を有している。この露光時間制御回路１０は、ＣＣＵコネクタ５及び信号線４ｂを介して、電気的に接続されている。前記露光時間制御回路１０は、前記ＣＣＤ３での露光時間を可変設定するものであって、設定手段を構成する露光用可変抵抗器１１が接続されている。
　【００１８】
　また、前記ＣＣＵ１は、前記絞り８の絞り量を調節する前記光量調整手段を構成する絞りコントロール回路１２を有している。前記絞りコントロール回路１２は、前記絞り８での絞り量つまり照明光量を可変設定するものであって、前記設定手段を構成する光量用可変抵抗器１３が接続されている。
　【００１９】
　前記露光用可変抵抗器１１と光量用可変抵抗器１３は、図１に示す明るさコントロールつまみ１４によって連動して、抵抗値が変化するようになっている。すなわち、明るさコントロールつまみ１４の内部構造は、図２に示すようになっており、一軸二連動で各抵抗器を可変するよになっている。この抵抗値の変化が、前記露光時間制御回路１０及び絞りコントロール回路１２の各設定を変化させるようになっている。露光用可変抵抗器１１及び光量用可変抵抗器１３の各ＭＩＮ（最低）は接地され、各ＭＡＸ（最大）は電源ＶＣＣに接続されている。さらに、露光用可変抵抗器１１のセンター位置とＭＩＮ位置とはショートされ、且つ光量用可変抵抗器１３のセンター位置とＭＡＸ位置とはショートされている。そして、前記明るさコントロールつまみ１４は、左半分の可変領域が絞り可変領域、右半分が露光時間可変領域となっている。
　【００２０】
　このようにすれば、つまみ１４のＭＩＮからセンター間は、いずれの位置でも露光用抵抗器１１の電位はＧＮＤ電位で固定され、一定値となる。逆に、センターからＭＡＸ間は、光量用抵抗器１３の電位はＶＣＣ電位で固定され、一定値となる。
　【００２１】
　前記露光時間制御回路１０、及び絞りコントロール回路１２は、前記つまみ位置に従った電圧に応じて、露光時間及び絞り量を設定するようになっている。また、つまみ１４のセンター位置では、絞り８は開放となり、露光時間は通常時間に設定されるようになっている。
　【００２２】
　前記ＣＣＵ１は、前記ＣＣＤ３が撮像した信号を信号処理手段を構成するプロセス回路１５にて、所定の処理をするようになっている。尚、このプロセス回路１５に後続する信号処理手段を構成する回路は、省略しているが、最終的にＴＶ信号を出力するようになっている。
　【００２３】
　前記構成において、ユーザーが明るさをコントロールしようとした場合、操作は明るさコントロールつまみ１４を操作することになる。つまみ１４は、絞り可変の領域と露光時間可変の領域に分かれているので、例えばつまみの位置がＭＩＮないしセンター間にあった場合、ユーザーがさらに明るくしようとした時、つまみ１４を右へ回すことになる。つまみ位置がセンター位置を越えるまでは絞りのみ開放へ向かい、露光時間は変化しない。明るさが足りず、さらにつまみをセンターないしＭＡＸの間にした時は、すでに絞りは開放となっており、明るさの不足分を露光時間を可変することで補うような使い方となる。
　【００２４】
　一方、暗くしたい場合はこれとは逆で、まず露光時間を通常時間に戻してからそれでも不足する場合は絞りを閉じていく操作となる。
　【００２５】
　本実施例では、従来例のように、絞りつまみと積分コントロールつまみがなく明るさコントロールつまみ１４に統合されている。従って、機械的に連動した設定手段としてのつまみ１４により明るさ調整をするので、明るくしたい時には絞りを絞ったまま露光時間を可変して明るくするといった誤操作を完全に防止できると共に、操作が単純となり操作性が向上する。
　【００２６】
　図３及び図４は本発明の第２実施例に係り、図３は光源内蔵型撮像装置を構成する光源内蔵型信号処理装置の外観図、図４は光源内蔵型撮像装置の概略的な構成図である。
　【００２７】
　本第２実施例のＣＣＵ２１は、電気的に感度を可変する手段として前記露光時間制御回路１０に代えて、ＧＣＡ（ゲインコントロールアンプ）を有している点が第１実施例と異なっている。その他、第１実施例と同様の構成及び作用については、同じ符号を付して説明を省略する。
　【００２８】
　前記ＣＣＵ２１は、第１実施例の露光用可変抵抗器１１に代えて、同様の構成となるＧＣＡ用可変抵抗器１１Ａを有している。また、前記ＣＣＵ２１は、前記プロセス回路１５の後段に、ＧＣＡ２２が接続され、このＧＣＡ２２のゲイン制御端子には、前記ＧＣＡ用可変抵抗器１１Ａの可変端子が接続されている。前記ＧＣＡ２２の出力は、エンコーダ２３を介して、標準的なＴＶ信号となって出力される。
　【００２９】
　また、ＣＣＵ２１は、第１実施例のつまみ１４に代えて、右半分がＧＣＡ可変用となっている明るさコントロールつまみ２４を有している。
　【００３０】
　ＧＣＡ２２からの出力は感度を上げるに従い、Ｓ／Ｎ比が悪化する傾向にある。このため、通常は、第１実施例と同様絞り量の可変により明るさを調整し、このときＧＣＡは標準設定となっている。そして、前記構成においては、絞りを開放にしても不足する際に、ＧＣＡによって明るさを補うようにしている。従って、明るさ調整の最初の段階から、Ｓ／Ｎ比の悪化を招かずに、明るさ調整ができる。
　【００３１】
　本実施例では、信号処理手段における電気的感度を可変する手段と光量調整手段とを関連させて設定し、コントロールできるようにしてあるので、明るさ調整におけるユーザーの誤操作を防止できるとともに、操作性が向上する。
　【００３２】
　尚、第１，第２実施例では、機械的に連動した電気的感度可変手段と光量調整手段により行っていたが、マイコン及びレベル設定用の可変抵抗器を用い、マイコンで可変抵抗値を制御することにより、電気的に感度を可変する手段と光量調整手段とを電気的に連動させることができる。この構成では、前述した効果に加えて、機械的に連動する特殊な２連式の可変抵抗器が不要となるため、設計自由度が高いだけでなく、省スペースであり、小型化にも効果がある。
　【００３３】
　図５ないし図７本発明の第３実施例に係り、図５は撮像装置のブロック図、図６はＬＵＴデータとランプ電流の関係を示す図、図７は本実施例の装置を電子内視鏡装置に適用した場合の構成図である。
　【００３４】
　本実施例に係る撮像装置は、図示しない操作手段からの調光コントロール信号を基に、Ｐ．Ｗ．Ｍ（パルス幅変調）電流制御器３２が、光源用ランプ３３に供給するランプ電流を制御している。このランプ３３は、前記ランプ電流により発光光量が変化する。
　【００３５】
　一方、撮像手段としてのＣＣＤ３５は、駆動回路３６によって駆動されると共に、ランプ３３により照明された被写体像を撮像し、電気信号に変換して出力する。このＣＣＤ３５の出力はプロセス回路３７へ送られ、プロセス回路３７により輝度信号Ｙ、色差信号Ｒ−Ｙ，Ｂ−Ｙに変換される。
　【００３６】
　前記色差信号Ｒ−Ｙ，Ｂ−Ｙはそれぞれ色温度補正のためのＲ−Ｙ　ＧＣＡ（ゲインコントロールアンプ）３８とＢ−Ｙ　ＧＣＡ３９とへ送られ、ゲイン補正され、エンコーダ４０へ送られ、標準的なテレビ信号となって出力される。
　【００３７】
　前記ランプ電流は、その帰還中において、電流値検出回路４１によってその電流値が検出され、検出された電流値は、Ｓ／Ｈ（サンプル／ホールド）回路４２へ送られる。前記ランプ電流の検出電流値は、Ｓ／Ｈ回路４２によりサンプル／ホールドされ、Ａ／Ｄ変換器４３でＡ／Ｄ変換され、デジタルデータとなってＲＯＭからなるＬ．Ｕ．Ｔ（ルックアップテーブル）４４へ送られる。
　【００３８】
　前記Ｌ．Ｕ．Ｔ４４では、図６に示すような折れ線近似で、ランプ電流値に応じたＲ−Ｙ信号とＢ−Ｙ信号のゲイン補正値を発生して、Ｒ−Ｙ　ＧＣＡ３８とＢ−Ｙ　ＧＣＡ３９へ補正値を送る。前記Ｒ−Ｙ　ＧＣＡ３８とＢ−Ｙ　ＧＣＡ３９では、それぞれＬ．Ｕ．Ｔ４４から与えられたゲイン補正値を基に、Ｒ−Ｙ信号とＢ−Ｙ信号のゲインを補正することにより、色温度の補正を行うようになっている。
　【００３９】
　前記構成において、図示しない前記操作手段からの調光コントロール信号が変化すると、Ｐ．Ｗ．Ｍ電流制御器３２によりランプ電流が変化し、ランプ３３の発光色の色温度が変化する。
　【００４０】
　このとき、ランプ３３の発光色温度が変化することに伴い、ＣＣＤ３５の出力の色成分も変化し、プロセス回路３７より生成されるＲ−Ｙ，Ｂ−Ｙの各信号も変化する。
　【００４１】
　一方、電流値検出回路４１により検出されたランプ電流値はＳ／Ｈ回路４２、Ａ／Ｄ変換器４３を経由してＬ．Ｕ．Ｔ４４へ送られ、このＬ．Ｕ．Ｔ４４から補正値が出力される。この補正値はランプ電流値に応じて変化し、Ｒ−Ｙ　ＧＣＡ３８と、Ｂ−Ｙ　ＧＣＡ３９とにおいて、ランプ発生色の色温度の変化に伴うプロセス回路３７のＲ−ＹとＢ−Ｙの各出力変化分を補正するような値となっている。従って、プロセス回路３７より出力されたＲ−Ｙ，Ｂ−Ｙの各信号は、Ｒ−Ｙ　ＧＣＡ３８とＢ−Ｙ　ＧＣＡ３９にて、ランプ３３の発光色温度の変化分を補正され、エンコーダ４０へ適正な値の信号となって送られる。
　【００４２】
　本実施例は、ランプ電流がランプ発光色の色温度と相関があることを利用し、ランプ電流により色信号のゲインを補正することにより、ランプ電流が変化しても色差信号が補正できるので、色再現性に変化がなく安定させることが可能である。例えば、光源のランプ電流を可変して調光した際、色信号のゲインもランプ発光色の色温度の変化に追従するように補正されるので、色再現性が変化せず、良好な状態を維持できる。
　【００４３】
　図７は第３実施例の装置を電子内視鏡装置に応用した場合の全体的な構成図である。
　【００４４】
　図７に示す電子内視鏡装置において、光源及びＣＣＵの一体型撮像装置４５に電子内視鏡４６が接続されており、撮像装置４５の出力はモニタ装置４７へ送られると共に、電子内視鏡４６で撮像された被写体像をモニタ装置４７で観察できるようになっている。
　【００４５】
　前記撮像装置４５の電源は、バッテリー装置４８により供給されるようになっている。また、前記撮像装置４５は、メインスイッチ４９、前記ＬＧコネクタ９、前記ＣＣＵコネクタ５、及び明るさ調整用の１４（または２４）が設けられている。前記内視鏡４６と前記撮像装置４５との間は、ユニバーサルコード５０とその端部に設けられたコネクタ５１とを介して接続されるようになっている。尚、符号５２は、被写体である。また、第１実施例と同様の構成及び作用については、同じ符号を付しており、説明を省略する。
　【００４６】
　従来内視鏡の光源装置は絞りによって光量調整を行っていたが、本実施例では、ランプ電流制御式の光量調整手段が使用でき、ランプを常時フル発光させる必要がなくなり、高効率となり、バッテリー電源による電子内視鏡装置の使用時間を大幅に増やすことができる。あるいは、バッテリーを小型化でき、ポータブル使用時のパフォーマンスを著しく改善できる。
　【００４７】
　図８は本発明の第４実施例に係る電子内視鏡装置の全体的な構成図である。
　【００４８】
　本実施例は、図７と示す第３実施例と異なる点は、撮像装置が、光源装置５５とカメラコントロールユニット（以下ＣＣＵ）５６とに別体に構成されていることである。
　【００４９】
　本実施例では、図５における電流値検出回路４１、Ｓ／Ｈ回路４２、Ａ／Ｄ変換器４３、Ｌ．Ｕ．Ｔ４４等は、光源装置５５あるいはＣＣＵ５６のいずれか一方に内蔵されることになる。以下に述べる例では、電流値検出回路４１のみを光源装置５５へ配置し、それ以外の構成はＣＣＵ５６へ配置してあるものとする。そして、光源装置５５内の電流値検出回路４１の出力である電流値を、ケーブル５３を介してＣＣＵ５６へ送り、動作をさせるようになっている。
　【００５０】
　その他の構成及び作用効果は、第３実施例と同様で、説明を省略する。
　【００５１】
　また、本発明は第３，第４実施例に示されている電子内視鏡装置だけでなく、ランプ電流を制御することにより光量調整を行う光源装置と組み合わせて行うカメラヘッド分離型撮像装置を含む撮像装置にすべて適用できる。
　［付記１］請求項１記載の光源内蔵型撮像装置であって、前記光量調節手段は前記照明光量を調節するための機械的構成を含み、前記電気的感度を可変する手段は、前記電気的感度を可変するための機械的構成を含み、さらに前記設定手段は、前記光量調節手段及び前記電気的感度を可変する手段の各機械的構成を連動させることにより、前記調節を関連させて設定をする。
　【００５２】
　［付記２］請求項１記載の光源内蔵型撮像装置であって、前記光量調節手段は前記照明光量を調節するための電気的構成を含み、前記電気的感度を可変する手段は、前記電気的感度を可変するための電気的構成を含み、さらに前記設定手段は、前記光量調節手段及び前記電気的感度を可変する手段の各電気的構成を連動させることにより、前記調節を関連させて設定をする。
　【００５３】
　［付記３］照明光の光量調整と、撮像手段からの映像信号の電気的感度の調整とが可能な光源内蔵型撮像装置において、前記光量の調整範囲と前記電気的感度の調整範囲とを一つの調整値の調整可能な範囲に含め、前記光量の調整と前記電気的感度の調整とを一つの調整手段で調整可能に構成している。
　【００５４】
　［付記４］照明光の光量調整と、撮像手段からの映像信号の電気的感度の調整とが可能な光源内蔵型撮像装置において、前記光量の調整範囲が前記電気的感度の調整範囲よりも先に調整できるように、一つの調整値の調整可能な範囲に含めている。
　【００５５】
　［付記５］照明光の光量調整と、撮像手段からの映像信号の電気的感度の調整とが可能な光源内蔵型撮像装置において、前記光量の調整範囲が前記電気的感度の調整範囲よりも先に調整できるように、一つの調整値の調整可能な範囲に含め、前記光量の調整と前記電気的感度の調整とを一つの調整手段で調整可能としている。
　【００５６】
　［付記６］請求項１記載の光源内蔵型撮像装置において、前記設定手段は、前記明るさの低レベルから所定値までの調整を前記光量の調節により行う一方、前記明るさの所定値から高レベルまでの調整を前記電気的感度の調節により行うことにより、前記関連させた設定をするようになっている。付記６記載の装置では、前記撮像手段が出力する映像信号を基に映し出される画像の明るさ調節に関して、光量調節と電気的感度の調節との切り替えや関連性を意識せず一つのもとして調整できる。
　【００５７】
　［付記７］被写体へ照射する照明光を発生する光源手段と、前記照明光によって照明された被写体を撮像し、信号処理手段によって被写体像の映像信号を生成する撮像装置において、前記光源手段と前記光源手段に供給する電気信号を制御することによって前記光源手段での照明光量を調整する光量調整手段と、前記光源手段に供給する電気信号の値を検出する信号値検出手段と、前記信号値検出手段で検出された信号値を基に、前記光源手段の色温度と前記信号値の相関関係を基に設定した補正信号を生成する補正信号発生手段と、前記補正信号発生手段で生成した補正信号に応じて、前記信号処理手段における映像信号の色情報のゲインを補正する色情報補正手段と、を有する。
　【００５８】
　付記７記載の装置は、光源手段に供給する電気信号を光量調整手段により直接制御し、色再現性を良好とすることができる。
　【００５９】
　［付記８］付記７記載の撮像装置において、前記光量調整手段は、前記光源手段であるランプに供給する電気信号としての電流値を、ＰＷＭ（パルス幅変調）制御によって制御するもの。
　【００６０】
　［付記９］付記７記載の撮像装置において、前記補正信号発生手段は、前記信号値に対応して設定された補正値を格納しているＬ．Ｕ．Ｔ（ルックアップテーブル）からなり、前記色情報補正手段は、前記Ｌ．Ｕ．Ｔの補正値に応じてゲインを可変するＧＣＡ（ゲインコントロールアンプ）からなる。
　【００６１】
　【発明の効果】
　本発明の光源内蔵型撮像装置によれば、撮像手段の出力を処理すると共に、光源手段の照明光量を調節する機能を有する装置において、画像の明るさ調整する際、ユーザーの誤操作を防止できると共に、操作性を向上させることができるという効果がある。
【図面の簡単な説明】
　【図１】
　図１及び図２は第１実施例に係り、図１は光源内蔵型撮像装置を構成する光源内蔵型信号処理装置の外観図。
　【図２】
　図２は光源内蔵型撮像装置の概略的な構成図。
　【図３】
　図３及び図４は第２実施例に係り、図３は光源内蔵型撮像装置を構成する光源内蔵型信号処理装置の外観図。
　【図４】
　図４は光源内蔵型撮像装置の概略的な構成図。
　【図５】
　図５ないし図７は第３実施例に係り、図５は撮像装置のブロック図。
　【図６】
　図６はＬＵＴデータとランプ電流の関係を示す図。
　【図７】
　図７は第３実施例の装置を電子内視鏡装置に適用した場合の構成図。
　【図８】
　図８は第４実施例に係る電子内視鏡装置の全体的な構成図。
　【図９】
　図９は従来例に係るＣＣＵの外観図。
　【図１０】
　図１０は従来例に係る撮像装置の全体的な構成図。
　【符号の説明】
　１…ＣＣＵ
　２…内視鏡
　３…ＣＣＤ
　６…フンプ
　７…ライトガイド
　８…絞り
　１０…露光時間制御回路
　１１…露光用可変抵抗器
　１２…絞りコントロール回路
　１３…光量用可変抵抗器
　１４…明るさコントロール摘み